(57)【要約】【課題】内視鏡内の電気的故障を検出し確実に故障している場合に駆動を停止する。【解決手段】電子内視鏡１０には、先端部に撮像素子３０が、またユニバーサルコネクタ１３には撮像素子３０の駆動回路３５、及び撮像素子３０や駆動回路３５に供給する電源に分圧するための分圧回路３６がそれぞれ内蔵されている。分圧回路３６から送られる複数の電源電流及び供給電流は、監視部３７に送られる。監視部３７は各電源電流及び供給電流毎に電流センサ回路６２、電流遮断回路６３、及び制御回路６１を配した構成になっている。電流センサ回路６２は、各消費電流を測定し予め決めた範囲と比較して異常を検出し、異常を検出した場合にはエラー信号を制御回路６１に送る。制御回路６１は、いずれかの電流センサ回路６２からエラー信号を受けることで電流遮断回路６３の全てを遮断させる。【選択図】図４
2010005180.tif 000002
【特許請求の範囲】
【請求項１】
体内に挿入される挿入部と、前記挿入部の先端内部に設けられているセンサ素子と、前記センサ素子に供給するための電源と前記センサ素子に対して入出力する信号とのうちの少なくともいずれか一方の伝送状態を監視し異常を検出した場合に少なくとも前記電源を遮断する監視部と、を備えたことを特徴とする内視鏡。
【請求項２】
前記監視部は、前記異常の回数をカウントするカウンタを備え、前記カウンタの値が予め決めた値に達するまでは前記遮断を一定時間経過後に復帰して再び前記監視を行うことを特徴とする請求項１記載の内視鏡システム。
【請求項３】
前記センサ素子に給電する電源電圧を生成するための分圧回路を備え、前記監視部は、前記分圧回路から出力される各供給電源を監視することを特徴とする請求項１又は２記載の内視鏡。
【請求項４】
前記異常の履歴を記憶するメモリを備えていることを特徴とする請求項１ないし３いずれか記載の内視鏡。
【請求項５】
体内に挿入される挿入部と、前記挿入部の先端内部に設けられているセンサ素子と、前記センサ素子に供給するための電源と前記センサ素子に対して入出力する信号とのうちの少なくともいずれか一方の伝送状態を監視し異常を検出した場合に少なくとも前記電源を遮断しかつエラー信号を送出する監視部と、を有する内視鏡と、
前記エラー信号を受ける回数を計数するカウンタを備え、前記カウンタの値が予め決めた値未満の場合には、前記監視部での遮断を一定時間経過後に復帰させて前記監視部での監視を再び行わせる復帰信号を前記監視部に送出するプロセッサ装置と、
を備えたことを特徴とする内視鏡システム。
【請求項６】
前記プロセッサ装置は、
前記センサ素子から送られる撮像信号に基づいて、外部接続されるモニタに表示するための画像を生成する画像生成部と、
前記エラー信号を受け取ることで前記モニタに表示するためのエラーメッセージ画像を生成するエラー画像生成部と、
を備えていることを特徴とする請求項５記載の内視鏡システム。
【請求項７】
前記エラー画像生成部は、前記カウンタの値が予め決めた値未満の場合には前記モニタに表示するための故障予測用のエラーメッセージ画像を生成し、また、前記カウンタの値が予め決めた値に達した場合には前記モニタに表示するための故障警告用のエラーメッセージ画像を生成することを特徴とする請求項５又は６記載の内視鏡システム。
【請求項８】
前記画像生成部は、直前の画像を記憶するビデオメモリを備え、前記エラー画像生成部は、少なくとも故障予測用のメッセージ画像を前記直前の画像に合成して生成することを特徴とする請求項７記載の内視鏡システム。
【請求項９】
体内に挿入される挿入部の先端内部に設けられているセンサ素子に供給するための電源と前記センサ素子に対して入出力する信号とのうちの少なくともいずれか一方の伝送状態を監視し異常の場合に少なくとも前記電源を遮断する監視ステップと、
前記エラー信号を受ける回数をカウンタでカウントし、前記カウンタの値が予め決めた値未満の場合には前記監視ステップでの遮断を一定時間経過後に復帰させる復帰ステップと、
前記カウンタの値が予め決めた値未満の場合にはモニタに表示するための故障予測用のエラーメッセージ画像を生成し、また、前記カウンタの値が予め決めた値に達した場合には前記モニタに表示するための故障警告用のエラーメッセージ画像を生成するエラー表示生成ステップと、
を含むことを特徴とする内視鏡システムの異常処理方法。
【発明の詳細な説明】
【技術分野】
【０００１】
本発明は、体内に挿入される挿入部の先端部に、ＣＣＤやＣＭＯＳ等の撮像素子や超音波センサ素子等のセンサ素子を内蔵する内視鏡、及びその内視鏡とセンサ素子から得られる信号に基づいて画像を生成する画像生成部（プロセッサ装置）とからなる内視鏡システム、及び内視鏡システムの異常処理方法に関するものである。
【背景技術】
【０００２】
内視鏡の手元操作部には、体内に挿入される挿入部が接続されている。挿入部は、先端から順に、先端部、湾曲部、及び、可撓管部を繋げた構成になっている。先端部には、先端面に、対物レンズ、照明用レンズ、鉗子出口、送気・送水口等が設けられている。対物レンズの奧には、ＣＣＤやＣＭＯＳ等の撮像素子が内蔵されている。先端部は、硬質な金属材料等で形成されている。また、可撓管部は、手元操作部と湾曲部との間を細径で長尺状に繋ぐ部分であり、可撓性を有している。湾曲部は、手元操作部に設けた操作ノブを回転操作することでアングルワイヤの牽引により上下左右のいずれの方向に湾曲する。これにより、患者への挿入性をスムーズにし、また、先端部を体腔内の所望の方向に向けることができる。
【０００３】
内視鏡は、手元操作部から延長されているコードの先端に設けたユ二バールコネクタを介してプロセッサ装置に接続される。前記ユニバーサルコネクタ内には、分圧回路、撮像素子用ドライバ（駆動回路）、撮像信号をデジタル信号に変換するＡＦＥ（Analog Front End  Processor）等が設けられている。また、プロセッサ装置は、電源回路や画像処理部等を備えている。分圧回路は、プロセッサ装置の電源回路から供給される電源を分圧する。撮像素子には、分圧回路で分圧した電源が供給される。また、駆動回路から水平駆動パルスや垂直駆動パルス、リセットパルスなどの信号が撮像素子に入力される。そして、撮像素子から出力される撮像信号をユニバーサルコネクタに設けたＡＦＥでデジタル処理してプロセッサ装置に送り、ここで画像処理して外部接続したモニタに表示する。
【０００４】
プロセッサ装置に内視鏡を接続するときに、ユニバーサルコネクタの差し込み方により、例えば電源ライン及び信号ラインの接続が、接地ラインよりも先に行われると、該信号ラインに不用意な電流が流れ、その結果、撮像素子が破壊されてり、誤動作が発生するおそれがある（特許文献１）。また、ユニバーサルコネクタの差し込み方により、コネクタの電源よりも先に信号が印加された場合も撮像素子を破損するおそれもある（特許文献２）。内視鏡は、プロセッサ装置に対して複数種類用意されている。このため、術や検査の内容により種類の異なる内視鏡に付け替える作業を行うときに、破損するおそがある。
【０００５】
また、照明光の光源として、従来から用いられているライトガイド及び光源ランプの代わりに、近年では白色光を出力する複数の発光ダイオード（ＬＥＤ）を挿入部の先端部に配置することが提案されている（特許文献３）。
【特許文献１】特開２０００−９２４７９号公報
【特許文献２】特開平７−３２６４２７号公報
【特許文献３】特開２００７−２５２６８５号公報
【発明の開示】
【発明が解決しようとする課題】
【０００６】
上記特許文献１及び特許文献２に記載の発明では、ユニバーサルコネクタの接点ピンの形状に工夫をこらして接続ピンの接続が正しい順番通りに行われるようにしているため、ユニバーサルコネクタ自体にコストがかかる。
【０００７】
また、挿入部には、撮像素子又はそれを含む電子基板との間を接続するためのフレキシブルな多芯ケーブルが内蔵されている。挿入部が繰り返し屈曲されると、それに伴ってその多芯ケーブルも屈曲する。このような動作が長期的に繰り返されると、撮像素子又は電子基板と多芯ケーブルとの半田による接続部分に繰り返し応力が作用することになる。このような繰り返し応力が過度に掛かる場合、当該接続部分での多芯ケーブルの断線が懸念される。また可撓管部に対して外部から衝撃が加わることにより、多芯ケーブルが他の部品に衝突したり擦れたりすることがある。多芯ケーブルがこのような衝突や擦れを受ける度にその被覆部が徐々に摩耗し、内包されている電線が露出して、撮像素子への電源線あるいは信号線等が短絡するおそれがある。このような短絡が生じると、例えば撮像素子に過電流が流れて異常加熱して撮像素子が熱により破損する。
【０００８】
さらに、落雷や雷雲の中の放電によって付近の電磁界が急変し、周辺にある通信経路や電力線などに雷サージ（過渡的な過電圧、過電流）が誘導・発生して、プロセッサ装置の電源回路等から侵入して内視鏡の撮像素子に被害を及ぼすおそれもある。
【０００９】
また、挿入部の先端部に内蔵するＬＥＤも、駆動電流を流すための接続ケーブルの断線に伴う短絡により故障したり、雷等による過電流により故障するおそれがある。
【００１０】
このように、短絡や雷等による過電流により撮像素子やＬＥＤ等の電子部品が故障すると、観察画像が見えなくなるブラックアウトの現象が生じる。このような不都合が観察時に生じると、故障が発生してもどのような処理を行えばよいか、術者（操作者）が分からないという問題があった。
【００１１】
本発明はこのような事情に鑑みてなされたもので、短絡や雷等による過電流によって挿入部先端に内蔵した電子部品の破損を防止すること、また、異常時の対処が瞬時に把握することができること、さらに、突発的な異常で再び復帰することができる異常を検出することができるようにした内視鏡、及び内視鏡システム、並びに内視鏡システムの異常表示方法を提供することを目的とする。
【課題を解決するための手段】
【００１２】
上記目的を達成するために、本発明の内視鏡では、体内に挿入される挿入部と、前記挿入部の先端内部に設けられているセンサ素子と、前記センサ素子に供給するための電源と前記センサ素子に対して入出力する信号とのうちのいずれか一方又は両方の伝送状態を監視し異常を検出した場合に少なくとも前記電源を遮断する監視部と、を備えたものである。
【００１３】
伝送状態の監視・異常検知としては、消費電流を測定し測定結果を正常範囲と比較して異常を検出する電流センサ回路、電圧を測定し測定結果を正常範囲と比較して異常を検出する電圧検出回路、消費電力を測定し測定結果を正常範囲と比較して異常を検出する電力検出回路、及び、信号の波形を正常範囲と比較して異常を検出する波形検出回路等のいずれを用いてもよい。
【００１４】
監視部は、伝送状態の異常を検出した回数をカウントするカウンタを備え、前記カウンタの値が予め決めた値に達するまでは前記遮断を、異常と判断してから一定時間経過後に復帰して再び監視を行うようにしてもよい。監視部としては、内視鏡をプロセッサ装置又は光源装置のいずれか一方又は両方に接続するためのユニバーサルコネクタに設けても良いし、手元操作部に設けても良いし、挿入部に設けても良い。
【００１５】
また、内視鏡は、内蔵するセンサ素子の違いによりセンサ素子に供給する電源電圧が異なる。そこで、プロセッサ装置の電源電圧を一定にし、内視鏡側に分圧回路を設けて撮像素子に応じた電源電圧に分圧して供給している。例えば、撮像素子に供給するための電源電圧を監視して過電流を検出することを考慮すると、プロセッサ装置よりも内視鏡の分圧後の電源を監視する方が異常を高精度で検出することができるので好適である。また、内視鏡に前記異常の履歴を記憶するメモリを設けると、次回使用するときに過去の異常履歴を読み出して把握することができるので好適である。
【００１６】
内視鏡は、センサ素子から得られる信号に基づいて画像を生成する画像生成部を内蔵するプロセッサ装置に接続して使用される。このプロセッサ装置に、エラー信号を計数するカウンタを設けてもよい。この場合には、内視鏡に監視部を設ける。そして、前記カウンタの値が予め決めた値未満の場合前記監視部での遮断を復帰させて監視部での監視を再び行わせる復帰信号を監視部に送出し、また、前記カウンタの値が予め決めた値に達した場合には前記監視部での遮断を継続させる手段をプロセッサ装置に備えればよい。
【００１７】
また、前記エラー信号に応答してモニタに表示するためのエラーメッセージ画像を生成するエラー画像生成部をプロセッサ装置に設けてもよい。また、エラーメッセージとしては、エラー回数が予め決めた回数未満の場合と、エラー回数が予め決めた回数に達して場合とで異なる表示するのが好適である。例えば、前記カウンタの値が予め決めた値未満の場合には「復帰中」又は「ワーニング」等の故障予測用のエラーメッセージ画像を表示し、また、前記カウンタの値が予め決めた値に達した場合には完全に遮断するため「スコープを抜去してください」等の故障警告用のエラーメッセージ画像を表示するのが望ましい。
【００１８】
最初の異常が検出されてから予め決めた回数まではリセットし続ける。この間は観察画像がブラックアウトする。そこで直前の画像を記憶するビデオメモリを画像生成部に設け、エラー画像生成部が少なくとも故障予測用のエラーメッセージ画像を生成するときに前記直前の画像に合成して生成するように構成すれば、エラーメッセージ画像の背後に直前の観察画像が表示されるので、予め決めた回数未満の場合に、術者が完全に観察視野を失うことを回避することができる。
【発明の効果】
【００１９】
本発明によれば、センサ素子に供給するための電源と前記センサ素子に対して入出力する信号とのうちの少なくともいずれか一方の伝送状態を監視し異常を検出した場合に少なくとも前記電源を遮断する監視部を備えたため、センサ素子及びセンサ素子を駆動する駆動回路に搭載された電子部品の故障を防ぐことができる。
【発明を実施するための最良の形態】
【００２０】
電子内視鏡１０は、図１に示すように、挿入部１１、手元操作部１２、及び、ユニバーサルコネクタ１３などを備えた細長い形状になっている。挿入部１１は、管状に形成されており、先端から順に、先端部１４、湾曲部１５、及び、可撓管部１６とで構成されている。ユニバーサルコネクタ１３は、手元操作部１２から延設されたコード１８の先端に設けられており、プロセッサ装置１７、及び、光源装置１９に接続される。なお、ユニバーサルコネクタ１３は、光源装置１９に接続される第１コネクタ１３ａ、第１コネクタ１３ａの一部に設けた延長コードの先端に設けた第２コネクタ１３ｂ、及び電気的接続を行う接続部１３ｃ（図３参照）とで構成されている。第２コネクタ１３ｂは、プロセッサ装置１７に接続される。プロセッサ装置１７には、先端部１４に内蔵する撮像素子（センサ素子）に電源を供給する電源回路、撮像素子から得られる撮像信号を画像処理してコンポジット信号やＲＧＢコンポーネント信号にエンコードするための画像処理回路等が設けられている。
【００２１】
先端部１４は、硬質な金属材料等で形成されている。また、可撓管部１６は、手元操作部１２と湾曲部１５との間を細径で長尺状に繋ぐ部分であり、可撓性を有している。湾曲部１５は、手元操作部１２に設けられた湾曲操作部１２ａの操作に連動して、挿入部１１内に挿設されたアングルワイヤが牽引されて上下左右に湾曲動作する。これにより、先端部１４が体腔内の所望の方向に向けられ、撮像素子で撮像した観察部位を、画像処理回路を介してモニタ２０に表示する。なお、符号２１は、処置具が挿通される鉗子口であり、鉗子口２１は、点線で示すように、挿入部１１内に配される鉗子チューブ２２に接続される。
【００２２】
先端部１４の先端面１４ａには、図２に示すように、観察窓２３、照明窓２４,２５、ジェット噴射用噴射口２６、鉗子出口２７、送気・送水ノズル２８などが露呈して設けられている。観察窓２３には、体腔内の被観察部位の像光を取り込むための対物光学系の一部が配され、対物レンズ系の奧に撮像素子が内蔵されている。照明窓２４，２５は、照明用レンズの一部が組み込まれており、光源装置１９から発する照明光をライトガイドで導いて体腔内の被観察部位に照射する。鉗子出口２７は、鉗子チューブ２２を介して手元操作部１２に設けた鉗子口２１と連通されている。送気・送水ノズル２８は、観察窓２３の汚れを落とすための洗浄水やエアーを噴射する。ジェット噴射用噴射口２６は、手元操作部１２に設けた送気・送水ボタンを操作することによって送気装置から供給される流体、例えば空気や二酸化炭素ガスなどを被観察部位に向けて噴射する。
【００２３】
電子内視鏡１０は、図３に示す撮像素子３０を先端部１４に備え、また、ＣＰＵ３１、基準クロック発振器３２、タイミングジェネレータ（ＴＧ）３３、アナログ信号処理回路（ＡＦＥ：Analog Front End processor）３４、クロックＤＲＶ（クロックドライバ）３５、分圧回路３６、及び監視部３７等をユニバーサルコネクタ１３に備えている。この場合、第１又は第２コネクタ１３ａ、１３ｂのいずれか一方又は両方に分けて備える。なお、少なくともクロックＤＲＶ（クロックドライバ）３５、分圧回路３６、及び監視部３７を手元操作部１２、又は先端部１４に備えてもよい。
【００２４】
先端部１４と手元操作部１２を介してユニバーサルコネクタ１３との間はフレキシブルな多芯ケーブル等で接続されている。撮像素子３０は、ＣＣＤやＣＭＯＳ等であり、対物光学系３８を通過した被写体光が受光面に入射するように配置されている。この受光面には、複数の色セグメントからなるカラーフィルタ（例えば、ベイヤー配列の原色カラーフィルタ）が配置されている。
【００２５】
ＣＰＵ３１は、電子内視鏡１０の各部の動作制御を行う。ＴＧ３３は、基準クロック発振器３２により生成される基準クロック信号に基づき、撮像素子３０の駆動パルス（垂直／水平駆動パルスΦＶ１〜ΦＶ４，ΦＨ１，ΦＨ２、リセットパルスΦＲＳ等）を生成するとともに、ＡＦＥ３４用の同期パルスを生成し、前記駆動パルス及び同期パルスをそれぞれ撮像素子３０、及びＡＦＥ３４に入力する。撮像素子３０は、ＴＧ３３から入力された駆動パルスに応じて撮像動作を行い、撮像信号ＶｏｕｔをＡＦＥ３４に出力する。
【００２６】
ＡＦＥ３４は、相関二重サンプリング回路（ＣＤＳ）３９、自動ゲイン制御回路（ＡＧＣ）４０、及びアナログ／デジタル変換器（Ａ／Ｄ）４１により構成されている。ＣＤＳ３９は、撮像素子３０から出力される撮像信号に対して相関二重サンプリング処理を施し、撮像素子３０で生じるリセット雑音及びアンプ雑音の除去を行う。ＡＧＣ４０は、ＣＤＳ３９によりノイズ除去が行われた撮像信号をゲイン調整する。Ａ／Ｄ４１は、ＡＧＣ４０により増幅された撮像信号を、所定のビット数のデジタル信号に変換し、ユニバーサルコネクタ１３の接続部１３ｃを介してプロセッサ装置１７に送る。
【００２７】
また、ＴＧ３３は、ＡＦＥ３４から出力される撮像信号に対応した、水平同期信号、垂直同期信号、及びクロック信号を、それぞれ接続部１３ｃを介してプロセッサ装置１７に送る。
【００２８】
プロセッサ装置１７は、ＣＰＵ５０、アイソレーション回路（絶縁回路）５１、デジタル信号処理回路（ＤＳＰ）５３、同期信号発生回路（ＳＳＧ）５４、デジタル／アナログ変換器（Ｄ／Ａ）５５、電源回路５６、加算器５７、グラフィックメモリ５８、カウンタ５９、及びビデオメモリ４３等を備えている。
【００２９】
ＣＰＵ５０は、プロセッサ装置１７及び光源装置１９の動作制御を行うとともに、電子内視鏡１０の電源及び信号の伝送状態が異常であった場合にエラー処理を行うエラー処理部をもっている。エラー処理部は、電子内視鏡１０から得られるエラー信号を受けた回数をカウンタ５９でカウントし、カウンタ５９の値が予め決めた値未満の場合には復帰信号を電子内視鏡１０に送って電子内視鏡１０の監視部での電源及び信号の遮断を復帰させ、かつ故障予測用のエラーメッセージをモニタ２０に表示するように制御し、さらに、予め決めた回数に達した場合には前記監視部での遮断を継続し、故障警告用のエラーメッセージをモニタ２０に表示するように制御する。
【００３０】
アイソレーション回路５１は、電子内視鏡１０をプロセッサ装置１７から絶縁分離するためのものである。デジタル信号処理回路（ＤＳＰ）５３は、撮像信号Ｖｏｕｔに信号処理を施して映像信号を生成する。また、デジタル信号処理回路（ＤＳＰ）５３には、ビデオメモリ４３が接続されている。ビデオメモリ４３には、直前の映像信号の１フレーム分が随時更新して記憶されている。この直前の画像は、故障予測用のエラーメッセージを合成して表示するときに読み出される。
【００３１】
同期信号発生回路（ＳＳＧ）５４は、補正された水平同期信号、垂直同期信号、及びクロック信号を発生する。デジタル／アナログ変換器（Ｄ／Ａ）５５は、ＤＳＰ５３から出力された映像信号をＮＴＳＣ方式のアナログ映像信号に変換する。グラフィックメモリ５８には、前記故障予測用、及び故障警告用のエラーメッセージを表す文字の画像が予め記憶されている。加算器５７は、ＣＰＵ５０からの指令によりグラフィックメモリ５８から読み出される文字の画像を映像信号に合成する。メモリ４２は、ＣＰＵ５０に接続されており、プロセッサ装置１７、電子内視鏡１０、及び光源装置１９等の駆動を制御するためのプログラム、過電流を検出したときのエラー処理用のプログラム、及びそのエラー処理用のプログラムで使用する閾値等が記憶されている。カウンタ５９は、ＣＰＵ５０に接続されており、エラー信号を受けた回数を計数する。
【００３２】
ＳＳＧ５４には、電子内視鏡１０のＴＧ３３から出力された水平駆動パルスＨＤ、垂直駆動パルスＶＤ、及びクロックパルスＣＬＫがアイソレーション回路５１を介して入力される。ＳＳＧ５４は、入力された水平駆動パルス、垂直駆動パルス、及びクロックパルスの間の位相ずれを補正して、位相ずれが補正された水平駆動パルス、垂直駆動パルス、及びクロックパルスを発生し、これらの信号をＤＳＰ５３に入力する。
【００３３】
ＤＳＰ５３には、電子内視鏡１０のＡＦＥ４４から出力された撮像信号Ｖｏｕｔがアイソレーション回路５１を介して入力される。ＤＳＰ５３は、入力された撮像信号Ｖｏｕｔに対し、色分離、色補間、ゲイン補正、ホワイトバランス調整、ガンマ補正、画像強調処理等を行い、輝度（Ｙ）信号と色差（Ｃ）信号とからなるＹ／Ｃ形式の映像信号を生成する。ＤＳＰ５３は、生成した映像信号をＤ／Ａ５５に入力する。Ｄ／Ａ５５は、入力された映像信号をＮＴＳＣ方式のアナログ映像信号に変換し、外部接続したモニタ２０に出力する。
【００３４】
撮像素子３０の電源電圧は、電子内視鏡１０の機種によって異なる。一方、プロセッサ装置１７に内蔵した電源回路５６から出力される電源電圧は一定に決められている。そこで、電子内視鏡１０には、分圧回路３６が内蔵されている。分圧回路３６は、接続部１３ｃを介してプロセッサ装置１７から供給される電源電圧を、撮像素子３０や各回路等、電子内視鏡１０に内蔵した電子部品に供給するために必要な電源電圧に分圧する。監視部３７は、そのうちの撮像素子３０に供給する電源電流、及び、クロックＤＲＶ３５に供給する電源電流を監視する。クロックＤＲＶ３５は、垂直クロックＤＲＶ、水平クロックＤＲＶ、及びリセットクロックＤＲＶからなり、ＴＧ３３から供給されるクロックを、同期をとって撮像素子３０に分配する。
【００３５】
監視部３７は、前記各電源電流及び供給電流の過電流を各々監視しており、予め決めた閾値を越える電流が流れたときにエラー信号を出力するとともに、これら電源電流及び供給電流の全てを遮断する。
【００３６】
エラー信号は、接続部１３ｃを介してプロセッサ装置１７に送られる。プロセッサ装置１７に供給されるエラー信号は、アイソレーション回路５１を介してプロセッサ装置１７を統括的に制御するＣＰＵ５０に送られる。ＣＰＵ５０は、エラー信号を受けてから一定時間経過後に復帰信号を監視部３７に送る。監視部３７は、復帰信号に応答して前記遮断した電源電流及び供給電流の全てを復帰する。
【００３７】
光源装置１９は、光源７０、光源ドライバ７１、絞り機構７３、集光レンズ７４、及びＣＰＵ７５を備えている。光源７０は、キセノンランプやハロゲンランプ等から放たれる白色の光源である。光源ドライバ７１は、光源７０を駆動する。絞り機構７３は、光源７０とライトガイド７２との間に配され、ライトガイド７２への入射光量を増減させる。集光レンズ７４は、絞り機構７３を通過した光を集光してライトガイド７２の入射端に導く。ＣＰＵ７５は、プロセッサ装置１７のＣＰＵ５０と通信し、光源ドライバ７１及び絞り機構７３の制御を行う。光源７０から発せられた光は、絞り機構７３及び集光レンズ７４を介してライトガイド７２に入射し、ライトガイド７２内を伝搬して、照明レンズ７５を介して照明窓２４，２５から体腔内へ照射される。
【００３８】
なお、図３では、撮像素子３０やクロックＤＲＶ３５への電源電流及び供給電流はそれぞれ１本の線でしか記載されていないが、実際には異なる電圧の数だけある。例えば、撮像素子３０への供給電源は３つ、垂直クロックＤＲＶへの供給電源は３つ、水平クロックＤＲＶへの供給電源は３つ、リセットクロックＤＲＶへの供給電源は４つある。監視部３７は、各電源電流及び供給電源の過電流を個別に監視する。
【００３９】
監視部３７は、図４に示すように、複数の監視回路６０、及びこれらを統括的に制御する制御回路６１で構成されている。各監視回路６０は、電流センサ回路６２、及び電流遮断回路６３で構成されている。電流センサ回路６２は電源電流又は供給電流の電流測定値が予め決めた閾値を越えた場合に過電流と判断して制御回路６１にエラー信号を出力する。なお、閾値は、各電源電流及び供給電流ごとに決められている。電流遮断回路６３は、電源電流及び供給電流を開閉するものであり、リセット可能なタイプとなっている。制御回路６１は、電流センサ回路６２のいずれかから送出されるエラー信号に応答して全ての電流遮断回路６３を一斉に遮断する。また、エラー信号をプロセッサ装置１７のＣＰＵ５０、及び電子内視鏡１０のＣＰＵ４１にそれぞれ出力する。さらに、プロセッサ装置１７のＣＰＵ５０から送出される復帰信号に応答して全ての電流遮断回路６３にその復帰信号を送って電流遮断回路６３の全部をリセットさせる。
【００４０】
なお、電子内視鏡１０のＣＰＵ４１は、エラー信号を受け取るごとに不揮発性メモリ６４にエラー履歴を記憶する。このエラー履歴を電子内視鏡１０側で記憶することで、次回プロセッサ装置１７に接続されたときに、過去の異常を読み出すことができ、これによりメンテナンスの時期や修理の時期を予測することができる。
【００４１】
上記構成の作用を、図５を参照しながら説明する。まず、電子内視鏡１０のユニバーサルコネクタ１３をプロセッサ装置１７、及び光源装置１９にそれぞれ接続する。次いで、プロセッサ装置１７及び光源装置１９の電源をオンにする。プロセッサ装置１７の電源がオンすると、電源回路５６から該プロセッサ装置１７の各部に電源供給が行われるとともに、電源回路５６から電子内視鏡１０にも電源が供給される。電源が電子内視鏡１０に供給されると、分圧回路３６で所定の電圧に分圧されて電子内視鏡１０に内蔵する各部に供給される。このうちの撮像素子３０に供給する電源電圧、及びクロックＤＲＶ３５に供給するための供給電圧は、監視部３７を通って供給される。監視部３７は、各電源電流及び供給電流の過電流を常に監視し、過電流ではない場合に供給を継続する。
【００４２】
電子内視鏡１０の挿入部１１を体腔内に挿入し、光源装置１９からの照明光で体腔内を照明しながら、撮像素子３０により撮像される体腔内の画像をプロセッサ装置１７に接続されたモニタ２０で観察する。
【００４３】
例えば、撮像素子３０、それを含む電子基板上の回路、及び電線等での短絡（低抵抗をもった短絡及びほとんど抵抗の無い短絡を含む）や瞬時サージにより異常が生じると、電源電流が予め決めた閾値を越える。このとき、電流センサ回路６２が過電流を検出し、制御回路６１にエラー信号を送出する。制御回路６１は、エラー信号に応答して各電流遮断回路６３を制御して電源電流及び供給電流の全てを遮断する。また、エラー信号をプロセッサ装置１７のＣＰＵ５０に送出する。
【００４４】
プロセッサ装置１７のＣＰＵ５０は、エラー信号に応答してカウンタ５９でエラー信号を受け取った回数を計数する。
【００４５】
また、プロセッサ装置１７のＣＰＵ５０は、エラー信号に応答してＤＳＰ５３のビデオメモリ４３に記憶された直前の画像を読み出す制御を行うとともに、グラフィックメモリ５８に記憶されている故障予測用のエラーメッセージ、例えば「復帰中」又は「ワーニング」等の文字の画像を読み出してそれぞれ加算器５７に送出する制御を行う。加算器５７は直前に撮像した画像に故障予測用のエラーメッセージ画像を合成してＤ／Ａ５５に送る。これにより、モニタ２０には、直前の画像に故障予測用のエラーメッセージが合成されて表示される。
【００４６】
さらに、ＣＰＵ５０は、カウンタ５９の値が予め決めた値未満の場合には、復帰信号を電子内視鏡１０の制御回路６１に送る。電子内視鏡１０の制御回路６１は、復帰信号に応答して全ての電流遮断回路６３をリセットして電源電流及び供給電流を復帰させる。なお、電源電流及び供給電流を遮断してから復帰させるまでの時間を計数するタイマ回路を設けてこの間の時間を管理してもよい。この場合には、例えば０．１ｓｅｃ位に設定するのが望ましい。
【００４７】
各電流遮断回路がリセットされると、再び監視部３７での過電流の監視が開始される。瞬時サージやノイズ等の瞬時の過電流に対しては、次回に過電流が検出されないで復帰することもある。逆に、低抵抗をもった短絡や抵抗のない短絡の場合には、再び過電流が検出されることが多い。過電流が検出されない場合には、エラーメッセージの表示を解除してそのまま電源電流及び供給電流が供給される。一方、再び過電流が検出された場合には、制御回路６１が各電流遮断回路６３を制御して再び電源電流及び供給電流を遮断して故障予測用のエラーメッセージの表示を行う。この場合も前記直前の画像に合成して表示する。このように、予め決めたエラーの回数までは、過電流を検出してもすぐに故障とは判断せずに、電流遮断回路６３をリセットする作業を何回か繰り返す。この間、直前の画像に故障予測用のエラーメッセージが重ねて表示されている。
【００４８】
プロセッサ装置１７のＣＰＵ５０は、予め決めた回数の分だけエラー信号を受け取ると、電子内視鏡１０の電流遮断回路６３での電源電流及び供給電流を遮断した後に、故障警告用のエラーメッセージ、例えば「スコープを抜去してください。」又は「アングル角を戻してスコープを抜去してください。」等の文字の画像をモニタ２０に表示するように制御する。このときの表示は、故障警告であるため、直前の画像に合成して表示させない方が好適である。これにより、術者は、挿入部１１を直ちに体内から抜く作業を行い、その後、プロセッサ装置１７の電源をオフしてから、ユニバーサルコネクタ１３をプロセッサ装置１７から外して新たな電子内視鏡に交換する作業を行う。このように、故障予測の次に、故障警告のメッセージを表示するようにしたから、安全な対処を迅速に行うことができる。
【００４９】
なお、内視鏡を安全に交換することができるように、電源ボタンとは別に検査終了ボタンを設けているプロセッサ装置がある。このタイプを用いる場合には、電源ボタンをオフする代わりに、検査終了ボタンを操作すればよい。これにより、電子内視鏡１０との間で伝送される供給電源及び送受信号の全てが遮断されるので、安全に内視鏡を交換することができる。
【００５０】
上記実施形態では、プロセッサ装置１７のＣＰＵ５０が、エラー信号の回数をカウントし、そのカウント値が予め決めた値に達するまでは電流遮断回路６３を復帰させるリトライを複数回行うように制御しているが、この制御を電子内視鏡１０のＣＰＵで行うようにしてもよい。この場合には、図６に示すように、電子内視鏡１０のＣＰＵ８０にカウンタ８１を接続し、そのカウンタ８１でエラー信号を受けた回数を計数する。このＣＰＵ８０は、図４で説明した制御回路６１の代わりの役目を行う。すなわち、ＣＰＵ８０は、電流センサ回路６２のいずれかからエラー信号を受けることで全ての電流遮断回路６３を一斉に遮断する。また、カウンタ８１の値が予め決めた値未満の場合には、全ての電流遮断回路６３に復帰信号を送って電流遮断回路６３をリセットさせるとともに、プロセッサ装置１７のＣＰＵ５０に第１のエラー信号を送出してプロセッサ装置１７で故障予測用のエラーメッセージ画像を表示させるように制御する。そして、カウンタ８１の値が予め決めた値に達した時点で、プロセッサ装置１７のＣＰＵ５０に第２のエラー信号を送出してプロセッサ装置１７で故障警告用のエラーメッセージ画像を表示させるように制御する。
【００５１】
上記各実施形態では、電流センサ回路６２で過電流の検出を行うことで伝送状態の異常（故障）と判断しているが、電流値が規定値よりも少ない場合も断線等の異常が考えられる。そこで、電線の周りに発生する磁気の量で電流を検出する電流センサを用いて電流値が規定値よりも少ない場合も伝送状態の異常と判断するようにしてもよい。
【００５２】
また、上記各実施形態では、撮像素子３０に供給する電源電流、及びクロックＤＲＶ３５への供給電流との両方を監視するようにしているが、いずれか一方だけ監視してもよい。この場合、異常と判断したときには、少なくとも撮像素子３０に供給する電源電流を遮断すればよい。また、監視する伝送ラインとしては、撮像素子３０に供給する電源、及びクロックＤＲＶ３５への供給電源に限らず、例えばクロックＤＲＶ３５から撮像素子３０に出力される水平駆動パルス、垂直駆動パルス、リセットパルス等の駆動信号を各々監視してもよい。この場合には、各信号の波形を正常範囲と比較して異常を検出すように構成すればよい。また、撮像素子３０から出力される撮像信号を監視してもよい。
【００５３】
また、上記各実施形態では、電流センサ回路６２のいずれかが異常と判断した場合には制御回路６１が電流遮断回路６３の全てを同時に遮断させるように制御している。しかし、ラッチ回路が入っていないＣＣＤ等を用いる場合には、先に水平駆動パルス、垂直駆動パルス、及びリセットパルス等の駆動信号を遮断した後に、ＣＣＤの供給電圧を遮断しないとＣＣＤが壊れるおそれがある。また、ＣＣＤの種類によっては、供給電圧のうちの正電源と負電源等の投入順番が異なる場合があり、この場合も順番を間違えるとＣＣＤに負担がかかり最終的にはＣＣＤを破壊するおそれがある。このようなＣＣＤを使用する場合には、制御回路６１がタイマ回路（遅延回路）等を利用して、遮断する順番、及び復帰させる順番が予め決められた正しい順番になるように電流遮断回路の全てを制御するように構成するのが望ましい。
【００５４】
上記各実施形態では、エラーメッセージとして文字をモニタに表示しているが、スピーカ付きのモニタを用いて音で表示するように構成してもよい。この場合、故障予測用と故障警告用とで音色又はリズムを変えるように構成すればよい。
【００５５】
上記各実施形態では、電流センサ回路を設けて過電流を検知しているが、電圧センサ回路を設けて電圧を監視してもよい。この場合も閾値を設けてそれを越える電圧を検出したときに異常と判断するように構成してもよい。また、下側の閾値も設けてそれ未満の電圧になったときにも異常と判断するように構成してもよい。
【００５６】
なお、内視鏡には、挿入部の先端に、前方を照明するための半導体発光素子であるＬＥＤ（light emitting diode）が複数内蔵されているものがある。このタイプの電子内視鏡を使用する場合には、プロセッサ装置１７から供給される電源を電子内視鏡に内蔵した分圧回路で分圧してＬＥＤに送る。この場合には、ＬＥＤ用の電源電流を前述した監視部で監視するのが、検査や診断中に照明が消える不都合、あるいは一部のＬＥＤのみが故障して照明が暗くなる不都合等を予測することができるので、望ましい。
【００５７】
さらに、内視鏡としては超音波内視鏡がある。この場合には、挿入部の先端部に超音波センサ素子が内蔵されている。この超音波センサ素子に対する供給電源及び送受信号を監視してもよい。
【図面の簡単な説明】
【００５８】
【図１】内視鏡システムの構成を示す斜視図である。
【図２】先端部の端面を示す説明図である。
【図３】電子内視鏡システムの電気的概略を示すブロック図である。
【図４】監視部の電気的概略を示すブロック図である。
【図５】エラー処理の手順を示すフローチャート図である。
【図６】エラー信号のカウントを内視鏡側で行うようにした他の実施形態を示すブロック図である。
【符号の説明】
【００５９】
１０  電子内視鏡
１７  プロセッサ装置
３７  監視部
５７  加算器
５９  カウンタ
６２  電流センサ回路
６３  電流遮断回路
【図１】
2010005180.tif 000003
【図２】
2010005180.tif 000004
【図３】
2010005180.tif 000005
【図４】
2010005180.tif 000006
【図５】
2010005180.tif 000007
【図６】
2010005180.tif 000008